(57)【要約】【課題】  多数の折鶴を糸などで繋いだ装飾品では得られない驚きと感動を観る人に与える、連鶴により構成された装飾品の提供。【解決手段】  本考案の装飾品１００は、一枚の方形の用紙に切り込みが入れられ、さらに必要により部分的に折り重ねられて、切り離されることなく一部分が繋がっている多数の正方形片が形成され、この各正方形片は折り紙手法により多数の折鶴に形成され、形成された多数の折鶴１０１は切り離されることなく繋がったままで基板１１０上に固定され、文字を構成していることを特徴とする。【選択図】図７
0003178057.tif 000002
【実用新案登録請求の範囲】
【請求項１】
一枚の方形の用紙に切り込みが入れられ、さらに必要により部分的に折り重ねられて、切り離されることなく一部分が繋がっている多数の正方形片が形成され、この各正方形片は折り紙手法により多数の折鶴に形成され、形成された多数の折鶴は切り離されることなく繋がったままで文字を構成していることを特徴とする装飾品。
【請求項２】
請求項１に記載の装飾品において、多数の正方形片が切り離されることなく繋がっている一部分に糸が接着され補強されていることを特徴とする装飾品。
【請求項３】
請求項１または２に記載の装飾品において、形成された多数の折鶴が基板上に固定され文字を構成していることを特徴とする装飾品。
【請求項４】
請求項３に記載の装飾品において、形成された多数の折鶴は基板上にピンを用いて固定されていることを特徴とする装飾品。
【請求項５】
請求項１または２に記載の装飾品において、形成された多数の折鶴が基枠内に固定され文字を構成していることを特徴とする装飾品。
【請求項６】
請求項１〜５のいずれか一項に記載の装飾品において、形成された多数の折鶴は少なくとも２０羽以上であることを特徴とする装飾品。
【請求項７】
請求項１〜６のいずれか一項に記載の装飾品において、形成された多数の折鶴は一本の線状または３方向ないしは４方向に分岐した線状、あるいはこれらの線状の組み合わせにより繋がっていることを特徴とする装飾品。
【請求項８】
請求項１〜７のいずれか一項に記載の装飾品において、文字は漢字であることを特徴とする装飾品。
【考案の詳細な説明】
【技術分野】
【０００１】
本考案は、折鶴によって構成される装飾品に関する。
【背景技術】
【０００２】
折鶴は、折り紙の一種で最もポピュラーなものであり、正方形の紙を折って鶴の姿に似せた形に折るものである。折り方は簡単であり、子供から大人まで多くの世代に知られており、一羽の折鶴としてだけでなく、多数の折鶴を糸などで繋いで、七夕の飾りや祈りを込めた千羽鶴などとして親しまれている。
【０００３】
また連鶴とも称されている、一枚の方形の紙に切り込みを入れて、一部分が連続した状態の多数の正方形片とし、この各正方形片を切り離さないようにして折って、多数の折鶴が一部分で繋がっているものも知られている。そして、特許文献１には細長い長方形の紙に切り込みを入れて多数の折鶴が一連に繋がって輪状となっている折り紙が提案されている。
【０００４】
このような連鶴は、現存する世界で最も古い遊戯折り紙の本と言われている、非特許文献１には各種の千羽鶴（連鶴）の折り方が記載されており、直線状や分岐した状態で連なる各種の連鶴が記載されている。
【０００５】
前記のように折鶴は、多数の折鶴を糸などで繋いで装飾品とすることはよく行われている。しかし、連鶴では一部分のみが繋がった多数の正方形片を切り離さないようにして折るため、細かい根気のいる作業が必要である。そのため、一枚の紙から切り離されないように作られた多数の鶴が連なった連鶴は、多数の折鶴が織りなす形状と作成のための労力から、観る人に驚きと感動を与えるものである。
【先行技術文献】
【特許文献】
【０００６】
【特許文献１】実開平７−２７６９７号公報
【非特許文献】
【０００７】
【非特許文献１】秋里籬島編「秘傳千羽鶴折形」、１７９７年（寛政９年）
【考案の概要】
【考案が解決しようとする課題】
【０００８】
本考案の課題は、多数の折鶴を糸などで繋いだ装飾品では得られない驚きと感動を観る人に与える、連鶴により構成された装飾品を提供することである。
【課題を解決するための手段】
【０００９】
本考案の装飾品は、一枚の方形の用紙に切り込みが入れられ、さらに必要により部分的に折り重ねられて、切り離されることなく一部分が繋がっている多数の正方形片が形成され、この各正方形片は折り紙手法により多数の折鶴に形成され、形成された多数の折鶴は切り離されることなく繋がったままで文字を構成していることを特徴とする。
【００１０】
また、上記装飾品において、多数の正方形片が切り離されることなく繋がっている一部分に糸が接着され補強されていることも特徴とする。そして、形成された多数の折鶴が基板上に固定され文字を構成しており、さらに基板上にピンを用いて固定されていることが好ましい。また、形成された多数の折鶴が基枠内に固定され文字を構成しているものであってもよい。さらには、形成された多数の折鶴は少なくとも２０羽以上であり、これらの多数の折鶴は一本の線状または３方向ないしは４方向に分岐した線状、あるいはこれらの線状の組み合わせにより繋がっていることが好ましく、文字は漢字であることが好ましい。
【考案の効果】
【００１１】
本考案の装飾品は、基板や基枠に固定された多数の折鶴で文字が構成されており、その各折鶴は折り紙が切り離されることなく繋がっており、驚きと感動を観賞する人に与えるものとなる。特に、少なくとも２０羽以上の折鶴によって構成されている場合には、その感動も大きい。そして、基板上にピンで固定された装飾品では、ピンを抜いて連結部を確認することができ、各折鶴が確かにつながった紙片で作成されていることを確認し、観賞する人にとっては驚きと感動が一層大きくなる。
【図面の簡単な説明】
【００１２】
【図１】３羽の折鶴が羽先で繋がった連鶴の模式図とその用紙の展開模式図である。
【図２】３羽の折鶴が嘴と尾先で繋がった連鶴の模式図とその用紙の展開模式図である。
【図３】９羽の折鶴が羽先で繋がる連鶴の模式図とその用紙の展開模式図である。
【図４】４羽の折鶴が嘴で十字に繋がった連鶴の模式図とその用紙の展開模式図である。
【図５】一羽の折鶴に５羽の折鶴が繋がった連鶴の模式図とその用紙の展開模式図である。
【図６】１羽の折鶴の腹部に２羽の折鶴が羽先で繋がった連鶴の模式図とその用紙の展開模式図である。
【図７】連鶴により構成された文字「絆」よりなる本考案の装飾品を示す。
【考案を実施するための形態】
【００１３】
本考案の装飾品について、以下図に基づいて詳細に説明する。尚、図１〜６は前記した非特許文献１の記載の一部分を参考にして作図した模式図であり、連鶴自体の模式図とその用紙の展開模式図を示し、切り込み部分が明確となるように、切り込み部分を強調し、拡大して描いたものである。
【００１４】
図１は３羽の折鶴１２、１３、１４がその羽先１５にて繋がった連鶴１０の斜視模式図と、その用紙１１の展開模式図を示している。用紙１１の展開模式図では切り込み１９は実際の切り込みを強調するために、切り込みを開いた状態にして描いた図である。長方形の用紙１１は切り込み１９により３個の正方形片１６、１７、１８に分けられ、それぞれの正方形片は切り離されることなく、切り込み１９の先端の一部分１５Ｐで繋がっている。各正方形片の丸印が付された一隅は、折鶴に形成した場合に嘴となる隅を示し、各正方形片１６、１７、１８から、それぞれ折鶴１２、１３、１４を形成することができる。この折鶴に折り上げる作業では繋っている羽先１５が切断して切り離されないように、細心の注意を払って切り込み１９の先端の一部分１５Ｐの繋がりを維持することが必要であり、折鶴の数が増加した場合にはより細かい作業が必要となる。そのため、用紙１１にて、各正方形片１６、１７、１８を繋いでいる一部分１５Ｐに糸を接着し、補強することは有効である。
【００１５】
図２は３羽の折鶴２２、２３、２４が嘴と尾先の連結部２５で繋がった連鶴２０の斜視模式図と、その用紙２１の展開模式図を示している。用紙２１は上記した用紙１１と同様に切り込み２９を入れたものであり、折鶴に形成した場合に嘴となる隅の位置を変えたものであり、各正方形片２６、２７、２８から、それぞれ折鶴２２、２３、２４を形成することができ、嘴となる隅の位置を変更したことにより各折鶴は嘴と尾先で繋がっている。このように、切り込みは同じように入れても、各正方形片を折り上げて折鶴とする場合に各４隅を嘴、尾または羽先のいずれの部位となるかを選択すれば、繋がる部位は自由に選択できる。ここで用いる用紙２１でも、各正方形片２６、２７、２８を繋いでいる一部分２５Ｐに糸を接着し、補強することは有効である。
【００１６】
図１、２ではそれぞれ３羽の折鶴の例を説明したが、用紙１１もしくは２１をより長い長方形として、切り込みを繰り返して、正方形片の数を増やせば、より多数羽の折鶴からなる連鶴を形成できる。また、図３に示すような用紙３０では、正方形の用紙に切り込み３２を入れ、９個の正方形片３１を形成する。この用紙を使用して、９羽の折鶴が羽先で繋がった連鶴を作成することができる。嘴となる丸印の隅位置を図２のように付け替えれば、図２の連鶴と同様に、嘴と尾先で繋がった連鶴とすることができる。この場合でも、切り込み３２の先端で繋っている部分を糸で補強することは有効である。
【００１７】
以上説明した連鶴は、いずれも一本の線状に繋がった連鶴の例を示した。図４には４羽の折鶴が十字状に嘴部分で繋がっている連鶴４０を示し、非特許文献１において「楽々波（さざなみ）」と名付けられている作品である。用紙４１は十字状に切り込み４３が入れられ、その先端の一部分４５Ｐで繋がった４個の正方形片４２を形成している。この各正方形片４２は折鶴４４となり、嘴の連結部４５にて４羽の折鶴が十字状に繋がっている連鶴４０となる。この連鶴４０では、嘴で連結したが、嘴となる丸印が付された隅をそれぞれ隣接する隅に変更することにより、羽先で連結した連鶴とすることができる。この場合も、同様に切り込み４３の先端で繋っている一部分４５Ｐを糸で補強することは有効であり、以下の形態においてもこの補強は有効である。
【００１８】
さらに、図４において正方形片４２の一枚を他の３個の正方形片のいずれかと重ね合わせて、折鶴を折り上げれば、３羽の折鶴が繋がった連鶴とすることができ、３方向に分岐連鶴とすることができる。この場合も折り上げる際にいずれの隅を嘴または羽先とするかを選べば、嘴同士、羽先同士または嘴と羽先などと繋がる部位を替えることができる。この場合、４個の切り込み４３の内、１個の切り込みを省略し、省略した切り込みに相当する線上で折り曲げ隣接する正方形片同士を重ね合わせても、同様に３羽の折鶴が繋がった連鶴とすることができる。
【００１９】
図５に示した連鶴５０は、１羽の折鶴５２の嘴に２羽の折鶴５３、尾先と羽先とにそれぞれ１羽ずつの折鶴５４、５５，５６が繋がった連鶴であり、非特許文献１において「蕣（あさがお）」と名付けられている作品である。この連鶴５０の用紙５１は模式展開図に示すように、切り込み５７が８か所入れられており、正方形片は９個となるが、そのうち３か所の正方形片５９Ｐは点線５８でそれぞれ折り曲げられ、正方形片５２Ｐと重ねられ、１羽の折鶴５２となる。この連鶴５０では折鶴５２を交点として、５方向に分岐している状態と、折鶴５２の嘴を交点として、３方向に分岐している状態とを含んでいる。この３方向に分岐している繋がり方は、図４に関連して上述した正方形片を折り重ねる方法と同じである。
【００２０】
図６は非引用文献１において「瓜の蔓（うりのつる）」と名付けられている作品の変形であり、この連鶴６０では、折鶴６２の腹に２羽の折鶴６３が羽先で繋がっている。「瓜の蔓」では中心の折鶴６２は他の折鶴より大きくなっているが、連鶴６０では３羽とも同じ大きさになるように変形している。この連鶴６０の用紙６１は正方形であり、３か所に切り込み６５が入れられており、２個の長方形片６４Ｐが点線６６で折り曲げられて、正方形片６２Ｐに折り重ねられている。この折り重ねられた正方形片６２Ｐと２個の正方形片６３Ｐが、連鶴６０の１羽の折鶴６２と２羽の折鶴６３に折り上げられている。この連鶴６０では、２羽の折鶴６３の羽先は折鶴６２の腹部に繋がっている。この折鶴６０を構成している折鶴６２を、図２で示した連鶴２０の折鶴２３とすれば５羽の折鶴が、十字状に繋がった連鶴とすることができる。
【００２１】
ところで、文字は直線状の横線や縦線、角を作りＬ字状やレ字状などに屈曲した線、十字状や３方向に分岐した線などの構成素子を組み合わせて構成されている。このような文字の構成素子は「米」や「木」のように４本以上の線が分岐している場合もあるがデザイン的に工夫をすれば４本ないしは３本に分岐した線分が作れれば、文字を構成することができる。さらには、「犬」「鳥」「成」などにおける点のように、独立して存在する文字の構成素子もあるが、一筆書きに連続させても、文字として認識することができる。草書体はその一例であるが、草書体でなくとも、装飾文字としてデザイン的に連続させることは可能である。
【００２２】
前述のように、連鶴では各折鶴を一本の線状、３方向または４方向に分岐した線状に繋げることができる。そして、連結部分は切り込みより切り離されなかった用紙にて構成されているため、この連結部分は任意に折り曲げることができる。そのため、一本の線状に折り上げた連鶴を曲線や屈曲した線とすることができる。したがって、連鶴を構成する各折鶴を、上記した文字の構成素子とすることができる。
【００２３】
図７は、連鶴を基板１１０の上に固定した装飾品１００を示し、本装飾品１００は４２羽の折鶴１０１が繋がった連鶴により、「絆」の文字が構成されている装飾品である。基板１１０は四周に枠を設けたコルク板であり、折鶴１０１が繋がった連鶴は多数の画鋲１２０により固定されている。この装飾品では、連鶴の多くの連結部分を画鋲１２０にて固定しているが、画鋲１２０は抜き取ることもでき、連結部分が切れていたり、糊剤で繋げたりしていることを確認できる。連鶴の３方向の分岐部１０２は図４に関して項目（００１８）で述べたようにして形成でき、４方向の分岐部１０３は図６に関して項目（００２０）で述べたようにして形成できる。また、屈曲部１０４は前項（００２３）で述べたように、一本の線状につなげた折鶴を屈曲させたものである。この部分は画鋲により固定されているが、画鋲を抜いて、連結を確認することができる。一方、この連鶴において前述したように繋がっている部分を糸で補強した場合には、画鋲による固定部分を大幅に減らしても、装飾品を構成する連鶴の連結部分が切り離されることが少なく、画鋲の数を減らすことができる。
【００２４】
本考案の装飾品においては、上記のように漢字でなくともよいが、アルファベットやカタカナ、ひらがな等は構成素子となる線分が少なく、見栄えに乏しいため、構成素子の多い漢字の方が表現の装飾品として好ましい。
【００２５】
実施例である装飾品１００においては、連鶴を基板上に固定したが、必ずしも基板に固定することなく、額縁などの基枠に糸やテープ等により、枠内に固定してもよい。基板上に固定するに際しては、接着剤や粘着テープなどを用いて固定することもできるが、前述のようにピンを用いて固定することが好ましい。この場合、固定に用いるピンとしては、金属針に金属やプラスチックなどの頭部を設けたもので、画鋲以外にも押ピン、虫ピン、待ち針などを用いることができる。頭部の形状や色彩は特に限定されるものではなく、折鶴の用紙の色や、文字などに合わせて、装飾品の効果を加味して適宜選択できる。
【００２６】
連鶴を形成するための方形の用紙としては特に限定はされないが、連結部の強度の観点より和紙が好ましい。また、着色や図柄を片面ないしは両面に施すこともできる。連鶴を固定する基板も、ピンを差し込むことができる材質であれば、特に限定されないが、木質板の他、ボール紙などの紙質系板状体、軟質プラスチックシート、発泡プラスチックシート、スポンジシートなどのプラスチック系板状体、ゴム板などのゴム系板状体およびこれらの複合シートなどを用いることができる。そして、連鶴を固定するための基枠は、木製、金属製、プラスチック製など材質を用いて枠状としたものを用いることができ、枠の形状は矩形の他、円形、楕円形、多角形のものも用いることができる。
【産業上の利用可能性】
【００２７】
本考案の装飾品は、工芸品として屋内における装飾品に用いることができる。
【符号の説明】
【００２８】
１０、２０、４０、５０、６０    連鶴
１１、２１、３０、４１、５１    用紙
１２、１３、１４、２２、２３、２４、４４    折鶴
５２、５３、５４、５５、５６、６２、６３    折鶴
１５、２５、４５    連結部
１５Ｐ、２５Ｐ、４５Ｐ    正方形片を繋ぐ一部分
１６、１７、１８、２６、２７、２８、３１，４２    正方形片
５２Ｐ、５３Ｐ、５４Ｐ、５５Ｐ、５６Ｐ、５９Ｐ    正方形片
６２Ｐ、６３Ｐ    正方形片
１９、２９、３２、４３、５７、６５    切り込み
５８、６６    点線（折り曲げ用）
１００    装飾品
１０１    折鶴
１０２    分岐部（３方向）
１０３    分岐部（４方向）
１０４    屈曲部
１１０    基板
１２０    画鋲
【図１】
0003178057.tif 000003
【図２】
0003178057.tif 000004
【図３】
0003178057.tif 000005
【図４】
0003178057.tif 000006
【図５】
0003178057.tif 000007
【図６】
0003178057.tif 000008
【図７】
0003178057.tif 000009